(57)【要約】【課題】取付現場での取付作業が容易な天井点検口パネルを提供することを課題とする。【解決手段】  本考案は、複数の天井パネルＰの裏面空間に配置される複数の天井下地材７０に取り付けられて、複数の天井パネルＰとともに天井Ｃを構成する天井点検口パネル１であって、複数の天井パネルＰ間の開口部Ｏの形状に合わせて形成した外枠体１０と、一辺側の外枠体１０Ａに、回動部材３０を介して回動可能に取り付けられた蓋体４０と、外枠体１０Ａに設けられ、開口部Ｏの周縁に位置する一の野縁７２から突出する突出壁８２に係合する突出片係合部（引掛片）１５と、を有することを特徴とする。【選択図】  図２
0003140189.tif 000002
【実用新案登録請求の範囲】
【請求項１】
複数の天井パネルの裏面空間に配置される複数の天井下地材に取り付けられて、複数の前記天井パネルとともに天井を構成する天井点検口パネルであって、
複数の前記天井パネル間の開口部の形状に合わせて形成した外枠体と、
前記外枠体の一辺側に、回動部材を介して回動可能に取り付けられた蓋体と、
前記外枠体の一辺側に設けられ、前記開口部の周縁に位置する一の前記天井下地材から突出する突出片に係合する突出片係合部と、
を有することを特徴とする天井点検口パネル。
【請求項２】
前記外枠体は、その一辺側で前記突出片の下面に当接し、その対辺側で他の前記天井下地材の下面に当接する本体部と、前記本体部の端部から略９０度曲成された外枠壁部と、を有し、
前記本体部の対辺側を、その端面が前記蓋体の端面よりも外側に位置する長さで形成する
ことを特徴とする請求項１に記載の天井点検口パネル。
【請求項３】
前記突出片係合部は、
前記外枠壁部に取り付けた取付部と、前記取付部の端部から曲成され、前記本体部の上面から所定距離離間した位置で前記本体部に沿って延びる引掛本体部と、でなる引掛片とし、
前記引掛本体部の下面から前記本体部の上面までの距離を、前記突出片の厚みと略同等とした
ことを特徴とする請求項２に記載の天井点検口パネル。
【請求項４】
前記引掛本体部は、その途中から外端部に向かうにつれて、前記本体部から離間する方向に傾斜する傾斜部をさらに有する
ことを特徴とする請求項３に記載の天井点検口パネル。
【請求項５】
前記外枠体は、その対辺側に、隣に取り付けられる前記他の天井パネルの取付枠を係合するための取付枠係合部を有し、
前記取付枠係合部は、
前記外枠体の対辺側の前記外枠壁部に沿って取り付けた取付部と、前記取付部の端部から略９０度曲成し、前記本体部の下面から所定距離離間した位置で前記本体部に沿って延びる係合本体部と、でなる取付片とし、
前記係合本体部の上面から前記外枠体の対辺側の前記本体部の下面までの距離を、前記取付枠の厚みと略同等とした
ことを特徴とする請求項４に記載の天井点検口パネル。
【請求項６】
前記蓋体は、前記回動部材と反対側に、前記蓋体の回動を制止するロック機構を有し、
前記ロック機構は、前記外枠体と係脱可能に構成される
ことを特徴とする請求項１から請求項５のいずれか一項に記載の天井点検口パネル。
【考案の詳細な説明】
【技術分野】
【０００１】
本考案は、天井下地材に取り付けて使用する天井点検口パネルに関するものである。
【背景技術】
【０００２】
通常、天井は、複数の天井パネルを天井下地材の取付部材に取り付けることで簡単に構成することができる。このような天井には、さらに、空調設備や電気設備の点検、天井下地材の状態の点検などの各種点検を行うために、複数の天井パネル間に開口部を設け、この開口部に、天井の室内空間側から開閉可能な蓋体を有する天井点検口パネルが取り付けられるのが一般的である（例えば、特許文献１参照）。
【０００３】
ここで、図５は、従来の天井点検口パネルの一例を示す一部拡大断面図である。図５に示すように、従来の天井点検口パネル１００は、天井パネルＰ、Ｐ間の開口部Ｏに、回動部材１３０を介して突出片１８０に回動可能に取り付けられる蓋体１４０と、蓋体１４０の回動を制止するロック機構１６０と、を主に備えて構成される。なお、蓋体１４０は、パネル体１４１と、パネル体１４１に取り付けられる内枠体１４２と、を有する。内枠体１４２の一辺部１４２ａに、回動部材１３０が取り付けられ、パネル体１４１の対辺部１４２ｂ側に、ロック機構１６０が取り付けられる。対辺部１４２ｂの上側のフランジは、パネル体１４１の外周縁に沿って奥行き方向に延びている。なお、一辺部１４２ａは、回動スペースを確保するため、回動部材１３０に取り付けられた状態で野縁１７２との間に隙間ができる高さで形成される。
【０００４】
回動部材１３０は、長軸受１３１と、長軸受１３１に対向する位置に配置され、内枠体１４２の一辺部１４２ａに取り付けられる短軸受１３２と、軸部材１３３と、を有する。長軸受１３１は、軸部材１３３から離間する方向に水平に延びる下面部１３１ａと、下面部１３１ａの端部から立ち上がる立ち上がり部１３１ｂと、立ち上がり部１３１ｂの上端から略９０度曲成され、下面部１３１ａから離間する方向に下面部１３１ａに対して水平方向に延びる上面部１３１ｃと、を有して形成される。
【０００５】
このような天井点検口パネル１００は、次のような手順で野縁受１７１と、野縁１７２と、を有して構成される天井下地材１７０に取り付けられる。なお、予め内枠体１４２を、パネル体１４１に取り付けておく。また、内枠体１４２の一辺部１４２ａに、短軸受１３２を取り付けておく。まず、天井の室内空間側から、開口部Ｏの周縁に配置される一の野縁受１７１に、突出片１８０を取り付ける。なお、突出片１８０は、野縁受１７１の一側面に取り付けられる取付壁１８１と、取付壁１８１の下端から、野縁受１７１と離間する方向に略９０度曲成した突出壁１８２を有して構成される。突出壁１８２の下面と野縁受１７１の下面とは略面一となっている。
【０００６】
次に、他の野縁受１７１にロック機構１６０の短ロッド受１６５を取り付ける。そして、パネル体１４１が開口部Ｏを開放した状態で、突出壁１８２の下面に、長軸受１３１の上面部１３１ｃを取り付ける。これにより、蓋体１４０を天井下地材１７０に取り付けることができる。次に、ロック機構１６０の一部である短ロッド１６４を、短ロッド受１６５に差し入れることで、蓋体１４０が開口部Ｏを閉じた位置で蓋体１４０が天井下地材１７０に支持される。なお、野縁受１７１において、パネル体１４１と天井パネルＰの間の開口部Ｏが位置する部分には、隙間を塞ぐための帯板状の目地底板Ｓが取り付けられている。
【特許文献１】実開平５−３４７５号公報
【考案の開示】
【考案が解決しようとする課題】
【０００７】
しかしながら、図５に示すような従来の天井点検口パネル１００は、パネル本体と別体で形成され、取付現場において天井下地材１７０に直接取り付けられる部材が多いため、取付現場において行う作業が多く、取付作業の負担が大きかった。また、パネル体１４１が開口部Ｏを開放した状態で、回動部材１３０（長軸受１３１の上面部１３１ｃ）を突出片１８０に取り付ける必要があるため、隣り合う天井パネルＰとの位置合わせに時間がかかってしまっていた。
【０００８】
さらに、例えば短ロッド受１６５などのように、天井点検口パネル１００本体と別体で形成され、天井下地材１７０に直接取り付けられる部材と天井点検口パネル１本体との位置合わせは、取付現場で行われる。このため、例えば、天井点検口パネル１００における短ロッド１６４の取付位置と、短ロッド受１６５の取付位置とがずれてしまった場合には、取付現場において微調整する必要があり、作業負担が大きかった。また、隣に取り付けられる天井パネルＰの下面から野縁１７２の上面までの距離と、長軸受１３１の下面部１３１ａの下面から上面部１３１ｃの上面までの距離が合わない場合には、隣に取り付けられる天井パネルＰとの高さ位置がずれてしまうので、これを合わせる作業が必要であった。
【０００９】
本考案は、前記課題に鑑みてなされたものであり、取付現場での取付作業が容易な天井点検口パネルを提供することを課題とする。
【課題を解決するための手段】
【００１０】
前記課題を解決した本考案の天井点検口パネルは、複数の天井パネルの裏面空間に配置される複数の天井下地材に取り付けられて、複数の前記天井パネルとともに天井を構成する天井点検口パネルであって、複数の前記天井パネル間の開口部の形状に合わせて形成した外枠体と、前記外枠体の一辺側に、回動部材を介して回動可能に取り付けられた蓋体と、前記外枠体の一辺側に設けられ、前記開口部の周縁に位置する一の前記天井下地材から突出する突出片に係合する突出片係合部と、を有して構成される。
【００１１】
本考案の天井点検口パネルによれば、外枠体と蓋体とを一体として構成し、取付現場においては、外枠体の一辺側に設けた突出片係合部を、開口部の周縁に位置する一の天井下地材から突出する突出片に係合することで、容易に、天井点検口パネルの位置決めを行うことができる。さらに、通常の天井パネルと同様に、外枠体の一辺側の対辺側を他の天井下地材に固定することにより、容易に、天井点検口パネルを天井下地材に取り付けることができる。
【００１２】
望ましくは、前記外枠体は、その一辺側で前記突出片の下面に当接し、その対辺側で他の前記天井下地材の下面に当接する本体部と、前記本体部の端部から略９０度曲成された外枠壁部と、を有し、前記外枠体の対辺側の前記本体部を、その端面が前記蓋体の端面よりも外側に位置する長さで形成する。
【００１３】
これによれば、天井点検口パネルを開口部に配置したときに、天井の室内空間側からみて、蓋体の端面で外枠体の対辺側の本体部が隠れることがない。つまり、天井の室内空間側から、外枠体の対辺側の本体部を天井下地材に固定することができるため、天井点検口パネルの取付作業をさらに容易にすることができる。
【００１４】
望ましくは、前記突出片係合部は、前記外枠壁部に取り付けた取付部と、前記取付部の端部から曲成され、前記本体部の上面から所定距離離間した位置で前記本体部に沿って延びる引掛本体部と、でなる引掛片とし、前記引掛本体部の下面から前記本体部の上面までの距離を、前記突出片の厚みと略同等とする。
【００１５】
これによれば、引掛本体部の外端部の下面に突出片の上面を係合させて、天井点検口パネルを天井下地材側にスライドさせると、引掛本体部の下面と本体部の上面の隙間に突出片が差し込まれることとなる。これにより、引掛本体部に突出片を安定して係合することができる。また、突出片を差し込むだけでよいので、取付が簡単となる。加えて、横方向にスライド可能であるため、位置調整が容易となる。さらに加えて、外枠体の対辺側を固定するときに、一辺側を支持している必要がないため、取付が簡単となる。
【００１６】
望ましくは、前記引掛本体部は、その途中から外端部に向かうにつれて、前記本体部から離間する方向に傾斜する傾斜部をさらに有する構成とする。
【００１７】
これによれば、引掛本体部は、外端部に傾斜部を有するため、引掛本体部に突出片をスムーズに係合させることができるとともに、天井点検口パネルをスムーズにスライドさせることができる。
【００１８】
望ましくは、前記外枠体は、その対辺側に、隣に取り付けられる前記他の天井パネルの取付枠を係合するための取付枠係合部を有し、前記取付枠係合部は、前記外枠体の対辺側の前記外枠壁部に沿って取り付けた取付部と、前記取付部の端部から略９０度曲成し、前記本体部の下面から所定距離離間した位置で前記本体部に沿って延びる係合本体部と、でなる取付片とし、前記係合本体部の上面から前記外枠体の対辺側の前記本体部の下面までの距離を、前記取付枠の厚みと略同等とする。
【００１９】
これによれば、取付枠係合部の上面に、隣に配置される他の天井パネルの取付枠の下面の外端部を係合させて、天井パネルを外枠壁部側へスライドさせると、係合本体部の上面と本体部の下面の隙間に取付枠が差し込まれることとなる。これにより、係合本体部に突出片を安定して係合することができる。また、通常の天井パネル同士を取り付けるのと同じように、天井パネルを、天井点検口パネルに取り付けることができる。
【００２０】
望ましくは、前記蓋体は、前記回動部材と反対側に、前記蓋体の回動を制止するロック機構を有し、前記ロック機構は、前記外枠体と係脱可能に構成される。
【００２１】
これによれば、ロック機構を外枠体に係合すると、開口部を閉じた位置で蓋体の回動を制止することができる。そのため、外枠体と蓋体を一枚のパネルのように取り扱うことができるので、天井点検口パネルを通常の天井パネルと同じように施工することができる。
【考案の効果】
【００２２】
本考案によれば、取付現場での天井点検口パネルの取付作業を容易にすることができ、取付時間を短縮することができる。また、天井点検口パネルを開いた状態にしなくても、天井の室内空間側から当該天井点検口パネルを取り付けることができるため、さらに、取付作業を容易にすることができる。
【考案を実施するための最良の形態】
【００２３】
以下、本考案に係る天井点検口パネル１を実施するための最良の形態について図面を参照しながら説明する。参照する図面において、図１は、本考案の天井点検口パネルの全体構成を示す斜視図、図２は、図１のＡ−Ａ線断面図、図３は、図１のＢ−Ｂ線断面図である。なお、以下の説明において、左右は、図面の紙面の方向と同じであるものとする。また、図１では、外枠体１０を仮想線（２点鎖線）で描いている。
【００２４】
図１および図２に示すように、本実施形態の天井点検口パネル１は、外枠体１０と、蓋体４０と、外枠体１０と蓋体４０を回動可能に連結する回動部材３０と、突出片係合部１５と、を主に有して構成される。なお、天井Ｃの裏面空間内には、複数の吊持金具（図示せず）から吊り下げられる複数の野縁受７１と、野縁受７１と直交する方向に配置され、クリップ７３を介して野縁受７１に取り付けられる複数の野縁７２と、からなる天井下地材７０が張り巡らされる。
【００２５】
この複数の野縁７２に取り付けられる複数の天井パネルＰと、複数の天井パネルＰ間に設けられた開口部Ｏに取り付けられる天井点検口パネル１と、により天井Ｃが構成される。なお、野縁７２には、突出片８０が取り付けられる。突出片８０は、取付部材８３により、野縁７２の一側面に取り付けられる取付壁８１と、取付壁８１の下端から、野縁７２と離間する方向に略９０度曲成した突出壁８２を有する。突出壁８２の下面と野縁７２の下面とは略面一となっている。
【００２６】
外枠体１０は、開口部Ｏの周縁を保護する枠となるものであり、複数の天井パネルＰ間の開口部Ｏの形状に合わせて形成された矩形状の部材である。外枠体１０は、略水平な本体部１１と、本体部１１の内側の端部から下方に略９０度曲成された外枠壁部１２と、を有する。なお、以下では、外枠体１０の一辺側を外枠体１０Ａとし、一辺側の対辺側を外枠体１０Ｂとし、左辺側を外枠体１０Ｃとし、右辺側を外枠体１０Ｄとして区別する。また、本体部１１の一辺側を本体部１１ａとし、一辺側の対辺側を本体部１１ｂとし、外枠壁部１２の一辺側を外枠壁部１２ａとし、一辺側の対辺側を外枠壁部１２ｂとして区別する。
【００２７】
外枠体１０Ａの本体部１１ａは、その上方に位置する野縁７２から突出する突出壁８２に取り付けられ、外枠体１０Ｂの本体部１１ｂは、適宜箇所で、その上方に位置する野縁７２の下面に取り付けられる。また、図１および図２に示すように、本体部１１ｂの端面１１ｂｆは、外枠体１０Ｂ側における蓋体４０の端面４０ｂｆよりも外側に位置する長さで形成されている。
【００２８】
突出片係合部たる引掛片１５は、突出片８０を外枠体１０Ａに係合するためのものである。引掛片１５は、取付部材１３を介して外枠体１０Ａの外枠壁部１２ａに取り付けられる取付部１５ａと、取付部１５ａの上端部から略９０度曲成し、本体部１１ａの上面から所定距離離間した位置で本体部１１ａに沿って延びる引掛本体部１５ｂと、引掛本体部１５ｂの外端側に設けられ、本体部１１ａの上面から離間する方向に傾斜する傾斜部１５ｃと、を有する。引掛片１５は、図１に示すように、外枠体１０の一辺側に２箇所設けられている。また、各引掛片１５は、互いに離間して配置される。
【００２９】
ここで、引掛片１５は、外枠壁部１２ａに取り付けたときに、引掛本体部１５ｂの基端部の下面から本体部１１ａの上面までの距離が、突出壁８２の厚みと略同等となるようになっている。このため、突出壁８２の上面を引掛片１５の傾斜部１５ｃの下面に係合させて突出壁８２側へスライドさせると、引掛本体部１５ｂと本体部１１ａの隙間に突出壁８２が差し込まれて挟持される。
【００３０】
またさらに、外枠体１０は、その対辺側に、隣に取り付けられる他の天井パネルＰの取付枠Ｐ１を係合することができる取付枠係合部たる係合片１７を有する。
【００３１】
係合片１７は、取付部材（図示せず）を介して外枠体１０Ｂの外枠壁部１２ｂに取り付けられる取付部１７ａと、取付部１７ａの上端部から略９０度曲成し、本体部１１ｂの上面から所定距離離間した位置で本体部１１ｂに沿って延びる係合本体部１７ｂと、を有して構成される。
【００３２】
ここで、係合片１７は、外枠壁部１２ｂに取り付けたときに、係合本体部１７ｂの上面から本体部１１ｂの下面までの距離が、取付枠Ｐ１の厚みと略同等となる。これにより、取付枠Ｐ１の下面を係合本体部１７ｂの上面に係合させて外枠壁部１２ｂ側へスライドさせると、係合本体部１７ｂと本体部１１ｂの隙間に取付枠Ｐ１が差し込まれて挟持される。
【００３３】
このような外枠体１０は、例えば、スチール板材をプレス曲げ成形した４本の外枠部材を矩形状に組み付け、その隅角部を溶接によって連結して構成することができる。
【００３４】
回動部材３０は、内枠体４２を回動させるためのものであり、外枠体１０に対して内枠体４２を回動自在に取り付けている。回動部材３０は、図１に示すように、外枠体１０の一辺側に３箇所設けられている。また、各回動部材３０は、互いに離間して配置される。回動部材３０は、本実施形態では、外枠体側ヒンジプレート３１と、内枠体側ヒンジプレート３２と、蝶番軸３３と、を有して構成される。
【００３５】
外枠体側ヒンジプレート３１は、外枠体１０に固定される部材である。外枠体側ヒンジプレート３１は、固定部材３４を介して外枠壁部１２ａの内壁面に当接して固定され、さらに、後記する内枠体４２Ａの平板部４３Ａに沿って、内枠体４２Ａの内枠壁部４４Ａの外壁部４４ｂ方向へ延びている。外枠体側ヒンジプレート３１は、内枠壁部４４Ａの外壁部４４ｂ側の端部の略中央部に、蝶番軸３３を挿通させる係合部（図示せず）を有している。
【００３６】
内枠体側ヒンジプレート３２は、内枠体４２Ａに固定される部材である。内枠体側ヒンジプレート３２は、固定部材３５を介して内枠壁部４４Ａの外壁部４４ｂの内壁面に固定される。内枠体側ヒンジプレート３２は、外枠体側ヒンジプレート３１の係合部（図示せず）の両側に、蝶番軸３３を挿通させる係合部を有している。
【００３７】
また、内枠体側ヒンジプレート３２は、図２中に破線で示すように、蝶番軸３３を支点として外枠体側ヒンジプレート３１側へ略９０度回動することができるようになっている。なお、内枠体側ヒンジプレート３２の上端部と隣に取り付けられる天井パネルＰの下面との間には隙間が形成されている。これにより、内枠体側ヒンジプレート３２をスムーズに回動させることができる。
【００３８】
蝶番軸３３は、外枠体側ヒンジプレート３１および内枠体側ヒンジプレート３２を、内枠体４２の回動方向において相対的に回動自在に連結するためのものである。
【００３９】
蓋体４０は、開口部Ｏを開閉するためのものであり、パネル体４１と、内枠体４２と、を有して構成される。
【００４０】
パネル体４１は、開口部Ｏよりも若干小さいサイズで形成された板状部材である。パネル体４１の内周縁部分には、取付部材４５を介して内枠体４２が取り付けられる。
【００４１】
内枠体４２は、パネル体４１を補強する矩形状の部材であり、外枠体１０Ａに回動部材３０を介して回動可能に取り付けられる。なお、本実施形態では、内枠体４２の一辺側（外枠体１０の一辺側である外枠体１０Ａと同じ側）を内枠体４２Ａとし、一辺側の対辺側（外枠体１０の対辺側である外枠体１０Ｂと同じ側）を内枠体４２Ｂとして区別する。内枠体４２Ａ、４２Ｂは、枠状の平板部４３Ａ、４３Ｂと、平板部４３Ａ、４３Ｂの内外の周縁部から上方へ略９０度曲成された内枠壁部４４Ａ、４４Ｂと、を有して構成される。内枠壁部４４Ａは、平板部４４Ａの内側の端部に形成される内壁部４４ａと、平板部４３Ａの外側の端部に形成される外壁部４４ｂと、を有して構成される。内枠壁部４４Ｂの構成は、内枠壁部４４Ａの構成と同様である。
【００４２】
また、平板部４３Ｂは、平板部４３Ａよりも幅広に形成され、後記するロック機構６０が取り付けられている。また、外枠体１０Ｂの本体部１１ｂと平板部４３Ｂの隙間には、衝撃吸収材４６が配置されている。
【００４３】
このように構成された内枠体４２は、例えば、スチール板材をプレス曲げ成形した４本の内枠部材を矩形状に組み付け、その隅角部を溶接によって連結して構成することができる。
【００４４】
また、本考案の天井点検口パネル１は、さらに、ロック機構６０を有する。
ロック機構６０は、図１ないし図３に示すように、蓋体４０の回動を制止する部材であり、回動部材３０の反対側に設けられ、外枠体１０と係脱自在に構成される。
【００４５】
ロック機構６０は、回転片６１ａと、駆動軸６１ｂと、を有するロック機構本体部６１と、短ロッド６２と、一対の長ロッド６３と、短ロッド受６４（図２参照）と、一対の長ロッド受６５と、長ロッド６３のガイド部材６６と、を有して構成される。ロック機構本体部６１は、固定部材６７ａにより内枠壁部４４Ｂの内壁部４４ａに固定され、固定部材６７ｂにより平板部４３Ｂとパネル体４１に固定される。各長ロッド受６５は、固定部材６７ｃにより外枠体１０Ｃと外枠体１０Ｄにそれぞれ固定される。ガイド部材６６は、固定部材６７ｄにより平板部４３Ｂとパネル体４１に固定される。
【００４６】
回転片６１ａは、平板部４３Ｂの略中央部に配置される十字型の部材である。回転片６１ａの下方には、短ロッド６２の一端部が配置されている。短ロッド６２の他端部は、外枠体１０Ａに設けられた長孔状の短ロッド受６４（図２参照）に挿通している。駆動軸６１ｂは、その一端部が回転片６１ａの中心部に支持され、他端部が短ロッド６２と、平板部４３Ｂと、パネル体４１を挿通して天井Ｃの室内空間側まで延びている。
【００４７】
回転片６１ａの一辺部６１ａ1には、短ロッド６２と略９０度位置をずらして、長ロッド６３の一端部が軸着される。長ロッド６３の他端部は、ガイド部材６６のガイド部６６ａを挿通し、逆Ｌ字状の長ロッド受６５の受入部６５ａに挿通している。この状態で、蓋体４０が外枠体１０に支持され、蓋体４０が開口部Ｏを閉じた状態でその回動を制止することができる。なお、回転片６１ａの対辺側６１ａ2の構成は、一辺部６１ａ1の構成と同等である。
【００４８】
前記したロック機構６０および回動部材３０によれば、次のように蓋体４０を開閉することができる。
すなわち、天井の室内空間側からハンドル（図示せず）を介して駆動軸６１ｂを、例えば時計回りに略９０度回動させると、図１中に破線で示すように、長ロッド６３の他端部が受入部６５ａから外れる。また、短ロッド６２の他端部が短ロッド受６４（図２参照）から外れる。これにより、外枠体１０による蓋体４０の支持状態が解除され、蓋体４０の対辺側が、自重により垂下しようとする。これに伴い、回動部材３０の内枠体側ヒンジプレート３２が、蝶番軸３３を支点として外枠体側ヒンジプレート３１側へ略９０度回動する。これにより、蓋体４０が下方へ略９０度回動し、図２中に破線で示すように、開口部Ｏに対して水平な状態から垂直な状態となり、開口部Ｏが開かれる。
【００４９】
なお、再度、開口部Ｏを閉じる場合には、蓋体４０を対辺側から上方に押し上げると、回動部材３０により蓋体４０の対辺側が上方へ略９０度回動する。これにより、蓋体４０を、開口部Ｏに対して垂直な状態から水平な状態として開口部Ｏを閉じることができる。さらに、ハンドル（図示せず）により、駆動軸６１ｂを逆時計回りに略９０度回動させると、長ロッド６３の他端部が長ロッド受６５に嵌る。また、短ロッド６２の他端部が短ロッド受６４（図２参照）に嵌る。これにより、蓋体４０が外枠体１０に支持された状態で制止することができるので、説明を省略する。
【００５０】
次に、本考案の天井点検口パネル１を天井下地材７０に取り付ける手順について、主に図４を参照して説明する。図４は、本考案の天井点検口パネルを天井下地材に取り付ける手順を説明するための模式図である。なお、図４では、見易さのため、適宜構成要件を簡略化している。なお、予め、野縁７２には、天井点検口パネル１の一辺側に隣り合う天井パネルＰが取り付けられる。また、既出の構成要素については、適宜図１から図３も参照するものとする。
【００５１】
図４（ａ）に示すように、まず、突出壁８２の上面を、引掛片１５の傾斜部１５ｃに係合させて、天井点検口パネル１を天井パネルＰ方向に動かし、引掛本体部１５ｂと本体部１１ａの隙間に突出壁８２を差し込む。このように、突出壁８２を係合本体部１５ｂと本体部１１ａの隙間に差し込むだけで、天井点検口パネル１の一辺側を天井下地材７０に取り付けることができる。また、引掛片１５は、係合本体部１５ｂの外端部に傾斜部１５ｃを有するため、突出壁８２を係合本体部１５ｂと本体部１１ａの隙間にスムーズに差し込むことができる。
【００５２】
次に、図４（ｂ）に示すように、外枠体１０Ｂの本体部１１ｂの上面を野縁７２に当接させ、固定部材１９を、天井Ｃ（図１参照）の室内空間側から野縁７２に埋め込んで固定し、外枠体１０Ｂの本体部１１ｂを野縁７２に固定する。このとき、外枠体１０Ｂの本体部１１ｂの端面１１ｂｆは、その下方に位置する蓋体４０の端面４０ｂｆよりも外側に位置するように形成されているため、天井Ｃの室内空間側から見たときに、本体部１１ｂが蓋体４０の端面４０ｂｆで隠れることがない。このため、天井Ｃ（図１参照）の室内空間側から本体部１１ｂを野縁７２に固定することができ、より簡単に、天井点検口パネル１を取り付けることができる。なお、固定部材１９としては、例えば、公知のビスを用いることができる。
【００５３】
次に、回動部材３０により蓋体４０を回動させて開口部Ｏを開く（図２参照）。そして天井Ｃ（図１参照）の室内空間側から、固定部材１８により、本体部１１ａを突出壁８２に固定する。このようにして、天井点検口パネル１を天井下地材７０に取り付けることができる。
【００５４】
さらに、図４（ｃ）に示すように、天井パネルＰの取付枠Ｐ１の下面を係合本体部１７ｂの上面に係合させて、天井パネルＰを外枠壁部１２ｂ方向に動かし、係合本体部１７ｂと本体部１１ｂの隙間に取付枠Ｐ１を差し込む。このように、係合本体部１７ｂと本体部の１１ｂの隙間に取付枠Ｐ１を差し込むだけで、天井パネルＰを天井点検口パネル１に、通常の天井パネル同士を取り付けるのと同じように施工することができる。
【００５５】
なお、天井点検口パネル１は、天井下地材７０に取り付けたときに、本体部１１ａの上面からパネル体４１の下面までの距離が、本体部１１ｂの上面から隣に取り付けられる天井パネルＰの下面までの距離と略同等となる。このため、隣に取り付けられる天井パネルＰとの高さ位置を簡単に揃えることができる。
【００５６】
以上説明したように、本実施形態の天井点検口パネル１によれば、従来の天井点検口パネルと比べて、取付時間を大幅に短縮することができる。
【００５７】
なお、本考案の天井点検口パネル１は、前記した実施形態に限られるものではなく、本考案の趣旨を逸脱しない範囲で、適宜変更することが可能であることはもちろんである。
【図面の簡単な説明】
【００５８】
【図１】本考案の天井点検口パネルの全体構成を示す斜視図である。
【図２】図１のＡ−Ａ線断面図である。
【図３】図１のＢ−Ｂ線断面図である。
【図４】本考案の天井点検口パネルを天井下地材に取り付ける様子を示す模式図である。
【図５】従来の天井点検口パネルを示す断面図である。
【符号の説明】
【００５９】
１        天井点検口パネル
１０      外枠体
１０Ａ    一辺側の外枠体
１０Ｂ    対辺側の外枠体
１１ａ、１１ｂ    本体部
１２ａ、１２ｂ    外枠壁部
１５      引掛片（突出片係合部）
１５ａ    取付部
１５ｂ    引掛本体部
１５ｃ    傾斜部
１７      係合片（取付枠係合部）
１７ａ    係合部
１７ｂ    係合本体部
１８、１９      固定部材
３０      回動部材
３１      外枠体側ヒンジプレート
３２      内枠体側ヒンジプレート
３３      蝶番軸
４０      蓋体
４０ｂｆ  端面
４１      パネル体
４２      内枠体
４２Ａ    一辺側の内枠体
４２Ｂ    対辺側の内枠体
４３      平板部
４４      内枠壁部
６０      ロック機構
６１      ロック機構本体部
６１ａ    回転片
６１ｂ    駆動軸
６２      短ロッド
６３      長ロッド
６４      短ロッド受
６５      長ロッド受
６６      ガイド部材
６７、６８、６９      固定部材
７０      天井下地材
７１      野縁受
７２      野縁
７３      クリップ
８０      突出片
Ｐ        天井パネル
【図１】
0003140189.tif 000003
【図２】
0003140189.tif 000004
【図３】
0003140189.tif 000005
【図４】
0003140189.tif 000006
【図５】
0003140189.tif 000007